【手続補正書】
【提出日】令和2年6月19日(2020.6.19)
【手続補正１】
【補正対象書類名】特許請求の範囲
【補正対象項目名】全文
【補正方法】変更
【補正の内容】
【特許請求の範囲】
【請求項１】
ユーザ機器(UE)によるワイヤレス通信の方法であって、
エネルギー閾値より高いそれぞれのエネルギーレベルを有する無線リソースのセット上での調査の数に基づいて、エネルギーベースのチャネルビジーレシオ(CBR)を決定するステップと、
無線リソースの前記セット上での、復号が成功した調査の前記数に基づいて、復号ベースのCBRを決定するステップと、
1つまたは複数の送信パラメータのうちの少なくとも1つの送信パラメータまたは前記UEの送信電力を前記エネルギーベースのCBRに基づいて調整することによって、前記エネルギーベースのCBRに基づいて輻輳制御を実行するステップとを備え、
前記輻輳制御を実行するステップが、前記復号ベースのCBRに基づく、方法。
【請求項２】
前記エネルギーベースのCBRの関数として、前記UEに対するチャネルリソース利用率限度を決定するステップをさらに備え、
前記輻輳制御を実行するステップが、前記エネルギーベースのCBRに基づく前記チャネルリソース利用率限度未満にチャネルリソース利用率を保つように前記1つまたは複数の送信パラメータのうちの前記少なくとも1つの送信パラメータまたは前記送信電力を調整するステップを備える、請求項1に記載の方法。
【請求項３】
前記エネルギーベースのCBRの前記関数として前記チャネルリソース利用率限度を決定するステップが、前記UE内の事前構成または受信された構成メッセージを介した動的な構成のうちの少なくとも1つに基づく、
または、前記エネルギーベースのCBRの前記関数として前記チャネルリソース利用率を決定するステップが、
CBR限度を決定するステップと、
前記エネルギーベースのCBRに基づいて前記UEの通信範囲内の他のUEの数を決定するステップと、
エネルギーベースのCBR限度を前記通信範囲内の前記他のUEの前記数で割ることによって前記チャネルリソース利用率限度を決定するステップとを備える、請求項2に記載の方法。
【請求項４】
前記1つまたは複数の送信パラメータが、送信レート、ハイブリッド自動再送要求(HARQ)送信の数、送信に使用されるリソースの数、または変調およびコーディング方式(MCS)のうちの少なくとも1つを含む、請求項1に記載の方法。
【請求項５】
前記UEの前記1つまたは複数の送信パラメータまたは前記送信電力を調整するステップが、
前記送信レートを下げること、
HARQ送信の前記数を減らすこと、
送信に使用されるリソースの前記数を減らすこと、
前記MCSを上げること、または
前記送信電力を下げること
のうちの少なくとも1つを実行することによって、チャネルリソース利用率を下げるステップを備える、請求項4に記載の方法。
【請求項６】
前記エネルギーベースのCBRを決定するステップが、
制御送信に使用されるリソースのセットのための第1のエネルギーベースのCBRを決定し、データ送信に使用されるリソースのセットのための第2のエネルギーベースのCBRを決定するステップを備え、
前記輻輳制御を実行するステップが、前記第1のエネルギーベースのCBRまたは前記第2のエネルギーベースのCBRのうちの少なくとも1つに基づく、
または、前記復号ベースのCBRを決定するステップが、
制御送信に使用されるリソースのセットのための第1の復号ベースのCBRを決定し、データ送信に使用されるリソースのセットのための第2の復号ベースのCBRを決定するステップを備え、
前記輻輳制御を実行するステップが、前記第1の復号ベースのCBRまたは前記第2の復号ベースのCBRのうちの少なくとも1つに基づく、請求項1に記載の方法。
【請求項７】
前記UE内の事前構成または受信された構成メッセージを介した動的な構成のうちの少なくとも1つに基づいて、CBR限度を決定するステップをさらに備え、
前記輻輳制御を実行するステップが、前記エネルギーベースのCBRまたは前記復号ベースのCBRのうちの少なくとも1つが前記CBR限度を超えるときにチャネルリソース利用率を制限するステップを備える、請求項1に記載の方法。
【請求項８】
前記UEによって使用される第1の技術とは異なる第2の技術が検出されるかどうかを決定するステップと、
前記復号ベースのCBRまたは前記エネルギーベースのCBRに基づいて前記UEに対するチャネルリソース利用率限度を決定するステップとをさらに備え、前記チャネルリソース利用率限度が、前記第2の技術の存在が検出される場合に前記復号ベースのCBRの関数として決定され、前記チャネルリソース利用率限度が、前記第2の技術の存在が検出されない場合に前記エネルギーベースのCBRの関数として決定され、
前記輻輳制御を実行するステップが、前記チャネルリソース利用率限度未満にチャネルリソース利用率を保つように前記1つまたは複数の送信パラメータを調整するステップを備える、請求項1に記載の方法。
【請求項９】
前記復号ベースのCBRの前記関数または前記エネルギーベースのCBRの前記関数として前記チャネルリソース利用率限度を決定するステップが、
CBR限度を決定するステップと、
前記エネルギーベースのCBRまたは前記復号ベースのCBRの関数として前記UEの通信範囲内の他のUEの数を決定するステップと、
前記CBR限度を前記通信範囲内の前記UEで割ることによって前記チャネルリソース利用率限度を決定するステップとを備え、
特に、前記エネルギーベースのCBRまたは前記復号ベースのCBRの前記関数として前記チャネルリソース利用率限度を決定するステップが、前記UE内の事前構成または受信された構成メッセージを介した動的な構成のうちの少なくとも1つに基づく、請求項8に記載の方法。
【請求項１０】
前記第2の技術が検出されるかどうかを決定するステップが、
第2のエネルギー閾値より高いエネルギーレベルを有する1つまたは複数のリソースを特定するステップと、
前記1つまたは複数のリソースの復号可能なエネルギーの量および前記1つまたは複数のリソースの全体のエネルギーに基づく分数が分数閾値より小さい場合、前記第2の技術が検出されると決定するステップと、
前記1つまたは複数のリソースの前記復号可能なエネルギーの前記量および前記1つまたは複数のリソースの前記全体のエネルギーに基づく前記分数が前記分数閾値より大きい場合、前記第2の技術が検出されないと決定するステップとを備える、請求項8に記載の方法。
【請求項１１】
ワイヤレス通信のためのユーザ機器(UE)であって、
エネルギー閾値より高いそれぞれのエネルギーレベルを有する無線リソースのセット上での調査の数に基づいて、エネルギーベースのチャネルビジーレシオ(CBR)を決定するための手段と、
無線リソースの前記セット上での、復号が成功した調査の前記数に基づいて、復号ベースのCBRを決定するための手段と、
1つまたは複数の送信パラメータのうちの少なくとも1つの送信パラメータまたは前記UEの送信電力を前記エネルギーベースのCBRに基づいて調整することによって、前記エネルギーベースのCBRに基づいて輻輳制御を実行するための手段とを備え、
前記輻輳制御を実行するための手段が、前記復号ベースのCBRに基づいて前記輻輳制御を実行するように構成される、UE。
【請求項１２】
前記エネルギーベースのCBRの関数として、前記UEに対するチャネルリソース利用率限度を決定するための手段をさらに備え、
前記輻輳制御を実行するための手段が、前記エネルギーベースのCBRに基づく前記チャネルリソース利用率限度未満にチャネルリソース利用率を保つように前記1つまたは複数の送信パラメータのうちの前記少なくとも1つの送信パラメータまたは前記送信電力を調整するように構成される、請求項11に記載のUE。
【請求項１３】
前記UE内の事前構成または受信された構成メッセージを介した動的な構成のうちの少なくとも1つに基づいて、CBR限度を決定するための手段をさらに備え、
前記輻輳制御を実行するための手段が、前記エネルギーベースのCBRまたは前記復号ベースのCBRのうちの少なくとも1つが前記CBR限度を超えるときにチャネルリソース利用率を制限するように構成される、請求項11に記載のUE。
【請求項１４】
前記UEによって使用される第1の技術とは異なる第2の技術が検出されるかどうかを決定するための手段と、
前記復号ベースのCBRまたは前記エネルギーベースのCBRに基づいて前記UEに対するチャネルリソース利用率限度を決定するための手段とをさらに備え、前記チャネルリソース利用率限度が、前記第2の技術が検出される場合に前記復号ベースのCBRの関数として決定され、前記チャネルリソース利用率限度が、前記第2の技術が検出されない場合に前記エネルギーベースのCBRの関数として決定され、
前記輻輳制御を実行するための手段が、前記チャネルリソース利用率限度未満にチャネルリソース利用率を保つように前記1つまたは複数の送信パラメータを調整するように構成される、請求項11に記載のUE。
【請求項１５】
請求項1から10のいずれか一項に記載の方法を実行するための命令を備える、コンピュータプログラム。